(57)【要約】【課題】拡散板及び光源の間隔を保持する為の突起部と拡散板とが、強く接触したり、振動や落下で衝突しても、拡散板に傷が付き難いバックライト装置の提供。【解決手段】表側に表示画面を有する液晶パネル１の裏側に配置される１又は複数の光源８と、光源８を保持する保持具１６と、液晶パネル１及び光源８の間に配置され、光源８から照射された光を拡散させて均一に液晶パネル１に照射する為の拡散板３とを備え、保持具１６は、光源８及び拡散板３の間隔を所定値以上に保持する為の１又は複数の突起部９を有するバックライト装置２。突起部９は、先端部が拡散板３の材質より柔らかい部材１０で被覆されている構成である。【選択図】図２
2008053176.tif 000002
【特許請求の範囲】
【請求項１】
表側に表示画面を有する液晶パネルの裏側に配置される１又は複数の光源と、該光源を保持する保持具と、前記液晶パネル及び光源の間に配置され、該光源から照射された光を拡散させて均一に前記液晶パネルに照射する為の拡散板とを備え、前記保持具は、前記光源及び拡散板の間隔を所定値以上に保持する為の１又は複数の突起部を有するバックライト装置において、
前記突起部は、先端部が前記拡散板の材質より柔らかい部材で被覆されていることを特徴とするバックライト装置。
【請求項２】
前記突起部は、先端部に基端部より細く形成された部分を備え、該部分が前記部材で被覆されている請求項１記載のバックライト装置。
【請求項３】
表側に表示画面を有する液晶パネルの裏側に配置される１又は複数の光源と、該光源を保持する保持具と、前記液晶パネル及び光源の間に配置され、該光源から照射された光を拡散させて均一に前記液晶パネルに照射する為の拡散板とを備え、前記保持具は、前記光源及び拡散板の間隔を所定値以上に保持する為の１又は複数の突起部を有するバックライト装置において、
前記突起部は、先端面に凹部が設けられ、該凹部に前記拡散板の材質より柔らかい緩衝部材が圧入されていることを特徴とするバックライト装置。
【請求項４】
表側に表示画面を有する液晶パネルと、請求項１乃至３の何れか１項に記載されたバックライト装置とを備え、該バックライト装置が光を前記液晶パネルに裏側から照射するように構成してあることを特徴とする液晶表示装置。
【発明の詳細な説明】
【技術分野】
【０００１】
本発明は、液晶表示装置に内蔵され、光源の保持具に設けられた突起部の先端部が、光源及び拡散板の間隔を所定値以上に保持するバックライト装置、及びこのバックライト装置を備える液晶表示装置に関するものである。
【背景技術】
【０００２】
液晶表示装置は、小型、薄型、低消費電力を特徴とし、近年ではその表示品位の向上により、従来のＣＲＴ（Cathode Ray Tube）に代わるディスプレイとして普及しつつある。液晶表示装置は、自己発光型のデバイスとは異なり、背面側からの光源であるバックライトを必要とし、液晶物質の電気光学特性により決定される光透過率を制御して画像を表示する。
バックライトには、概ね２０インチ以下の表示装置に採用され、冷陰極線放電管（ＣＣＦＬ）を導光板の端面に配置したエッジライト方式と、１又は複数の冷陰極線放電管を面光源である拡散板の直下に配置するエリアライト方式とが有る。
【０００３】
エリアライト方式では、図２に示すように、液晶パネル１とバックライト２との間隙に光学シート等が積層された拡散板３を設けることにより、表示品位の向上が図られている。バックライト２では、例えば冷陰極線放電管８を保持する２個のランプクリップ７と、１個の突起部９とが一体成形された多数のクリップ部材１６が、拡散板３に平行に設けられたバックライトシャーシ６の底面全面に均等に固設されている。２個のランプクリップ７と突起部９とは、耐熱性を考慮してＰＣ（Poly Carbonate）材で一体成形されている。
突起部９は、冷陰極線放電管８及び拡散板３の間隔が、衝撃及び熱変形等により縮小するときに、先端部が拡散板３に当接して、その間隔を所定値以上に保持する。
【特許文献１】特開２００５−１０６８５８号公報
【発明の開示】
【発明が解決しようとする課題】
【０００４】
冷陰極線放電管をバックライトの光源として用いた場合、冷陰極線放電管からの熱によって装置内部が高温になり、拡散板及びバックライトシャーシが熱により変形する。特に、近年の液晶表示装置の大型化に伴い、拡散板及びバックライトシャーシの変形、また外部振動等により、拡散板と突起部とが擦れることによる傷及び軋み音が無視できなくなっている。拡散板と突起部の先端との間は、製造時には余裕を持たせて離しているが、大型化により拡散板及びバックライトシャーシの熱による変形量も増加している。
【０００５】
特許文献１には、このような問題を解決する為に、拡散板と突起部との接触部分に摩擦軽減手段を設けて、滑りにより軋み音を軽減する技術が開示されている。
しかし、摩擦軽減手段が介在していても、強く接触したり、振動や落下で衝突すると、拡散板に傷が付き、この傷付いた部分に突起部の先端が接触すると、軋み音が発生したり、拡散板に付いた傷が輝度ムラの原因となることがあるという問題がある。
尚、拡散板と突起部とが熱による変形で接触しないように、間隔を広くすると、輝度が落ちる為、間隔を広げるのは良策ではない。
【０００６】
本発明は、上述したような事情に鑑みてなされたものであり、拡散板及び光源の間隔を保持する為の突起部と拡散板とが、強く接触したり、振動や落下で衝突しても、拡散板に傷が付き難いバックライト装置を提供することを目的とする。
また、本発明は、拡散板及び光源の間隔を保持する為の突起部と拡散板とが、強く接触したり、振動や落下で衝突しても、拡散板に傷が付き難いバックライト装置を備えた液晶表示装置を提供することを目的とする。
【課題を解決するための手段】
【０００７】
本発明に係るバックライト装置は、表側に表示画面を有する液晶パネルの裏側に配置される１又は複数の光源と、該光源を保持する保持具と、前記液晶パネル及び光源の間に配置され、該光源から照射された光を拡散させて均一に前記液晶パネルに照射する為の拡散板とを備え、前記保持具は、前記光源及び拡散板の間隔を所定値以上に保持する為の１又は複数の突起部を有するバックライト装置において、前記突起部は、先端部が前記拡散板の材質より柔らかい部材で被覆されていることを特徴とする。
【０００８】
本発明に係るバックライト装置は、前記突起部は、先端部に基端部より細く形成された部分を備え、該部分が前記部材で被覆されていることを特徴とする。
【０００９】
本発明に係るバックライト装置は、表側に表示画面を有する液晶パネルの裏側に配置される１又は複数の光源と、該光源を保持する保持具と、前記液晶パネル及び光源の間に配置され、該光源から照射された光を拡散させて均一に前記液晶パネルに照射する為の拡散板とを備え、前記保持具は、前記光源及び拡散板の間隔を所定値以上に保持する為の１又は複数の突起部を有するバックライト装置において、前記突起部は、先端面に凹部が設けられ、該凹部に前記拡散板の材質より柔らかい緩衝部材が圧入されていることを特徴とする。
【００１０】
本発明に係る液晶表示装置は、表側に表示画面を有する液晶パネルと、第１発明乃至第３発明の何れか１つに記載されたバックライト装置とを備え、該バックライト装置が光を前記液晶パネルに裏側から照射するように構成してあることを特徴とする。
【発明の効果】
【００１１】
本発明に係るバックライト装置によれば、光源及び拡散板の間隔を保持する突起部の先端部が、拡散板の材質より柔らかい部材で被覆されているので、突起部と拡散板とが、強く接触したり、振動や落下で衝突しても、拡散板に傷が付き難く、傷による軋み音及び輝度ムラが発生し難いバックライト装置を実現することができる。
【００１２】
本発明に係るバックライト装置によれば、光源及び拡散板の間隔を保持する突起部は、先端部の細く形成された部分が、拡散板の材質より柔らかい部材で被覆されているので、被覆した部材で新たに影ができることがなく、突起部と拡散板とが、強く接触したり、振動や落下で衝突しても、拡散板に傷が付き難く、傷による軋み音及び輝度ムラが発生し難いバックライト装置を実現することができる。
【００１３】
本発明に係るバックライト装置によれば、光源及び拡散板の間隔を保持する突起部は、先端面に凹部が設けられ、その凹部に拡散板の材質より柔らかい緩衝部材が圧入されているので、緩衝部材で新たに影ができることがなく、突起部と拡散板とが、強く接触したり、振動や落下で衝突しても、拡散板に傷が付き難く、傷による軋み音及び輝度ムラが発生し難いバックライト装置を実現することができる。
【００１４】
本発明に係る液晶表示装置によれば、バックライト装置の光源及び拡散板の間隔を保持する突起部の先端部が、拡散板の材質より柔らかいので、突起部と拡散板とが、強く接触したり、振動や落下で衝突しても、拡散板に傷が付き難く、傷による軋み音及び輝度ムラが発生し難い液晶表示装置を実現することができる。
【発明を実施するための最良の形態】
【００１５】
以下に、本発明をその実施の形態を示す図面に基づいて詳述する。
（実施の形態１）
図１は、本発明に係る液晶表示装置の実施の形態１の外観を示す正面図であり、図２は、その左側断面図であり、本発明に係るバックライト装置の実施の形態１を示す側断面図である。
この液晶表示装置は、アスペクト比が１６：９（又は４：３）である液晶パネル１と、液晶パネル１の背面側に設けられた本発明に係るバックライト２とを備え、液晶パネル１及びバックライト２が前面キャビネット４及び背面キャビネット５により形成された空間内に配置されている。前面キャビネット４は、肉厚が数ｍｍの成型品であって、適宜の長さを有する側壁を備えており、正面側に表示用の開口部４ａが設けてあって、利用者は、開口部４ａを通じて液晶パネル１の画像を見ることができる。
【００１６】
液晶パネル１及びバックライト２は、液晶パネル１の外寸と適合する寸法を有する図示しない支持枠に固定されている。支持枠には、支持枠の上下に対向する２辺間を連結するように、上下方向に伸びる２本の支柱が固定され、支柱の下部にスタンド２６が取り付けられている。
液晶パネル１は、前面及び背面の周縁部を２つの挟持部材１３，１４で挟持し、一方の挟持部材１４をビス１５によりバックライト２に固定する。
【００１７】
バックライト２は、前面が開口された直方体状の箱体（バックライトシャーシ）６を基体とし、バックライトシャーシ６の内壁に反射膜１２が形成されている。反射膜１２は、例えば、アルミニウム等の光反射性に優れた材料を蒸着することにより形成される。また、光源として、複数の線状の冷陰極線放電管（ＣＣＦＬ）８が横置き状態で縦方向に並置され、液晶パネル１とバックライト２との間隙に設けられた拡散板３を介して、自然光に近い均一な白色光が前面に設けられた液晶パネル１に入射されるようになっている。
【００１８】
拡散板３は、アスペクト比が１６：９（又は４：３）であり、表面に、複数の冷陰極線放電管８からの光を拡散させて、液晶パネル１の背面に均一に照射する為の拡散シート、Ｒ−ＢＡＦ及びＤ−ＢＡＦ等の光学シートが積層された積層体である。
バックライトシャーシ６の周縁部には、拡散板３の位置を固定するための枠体として機能する固定具１７がビス１８によってバックライトシャーシ６に取り付けられている。
また、背面キャビネット５には支持板１９が固定されており、バックライトシャーシ６がビス２０によって支持板１９に固定されている。
【００１９】
本実施の形態１では、例えば、冷陰極線放電管８を保持する２個のランプクリップ７と、それらに挟設された１個の突起部９とが一体に成形された多数のクリップ部材１６（保持具）が、バックライトシャーシ６の底面全面に均等に固設されている。２個のランプクリップ７と突起部９とは、突起部９の先端部以外は、耐熱性を考慮してＰＣ（Poly Carbonate）材で一体成形されている。
尚、白色ＬＥＤ及び／又は複数色のＬＥＤを配置したものをバックライトとして用いてもよい。
【００２０】
突起部９は、冷陰極線放電管８及び拡散板３の間隔が、振動、衝撃及び熱変形等により縮小するときに、拡大図Ａに示すように、先端部が、接近して来た拡散板３の表面３ａに当接して、その間隔を所定値以上に保持する。先端部には、他より細い小径部分９ａが形成されており、小径部分９ａは、拡散板３の材質より柔らかい部材１０（例えばシリコンゴム）で被覆されている。尚、小径部分９ａ及び柔らかい部材１０部分を、２色成型技術により一体成型することも可能である。
これにより、突起部９の先端部が、接近して来た拡散板３に接触しても、拡散板３には傷が付き難い。また、柔らかい部材１０で従来の形状をはみ出さないように、突起部９を形成できるので、従来以上に拡散板３に影ができることもない。
【００２１】
（実施の形態２）
図３は、本発明に係るバックライト装置の実施の形態２の突起部の先端部を拡大して示す拡大図である。
このバックライト装置の突起部９の先端面には、穴（凹部）９ｂが設けられ、設けられた穴９ｂ内に、突起部９より細く、拡散板３の材質より柔らかい棒状の部材（緩衝部材）１１が圧入されている。その他の構成は、実施の形態２で説明したバックライト装置の構成と同様であるので、説明を省略する。
【００２２】
これにより、突起部９の先端部が、接近して来た拡散板３の表面３ａに接触しても、拡散板３の表面３ａには傷が付き難い。また、図４に示すように、突起部９の先端部の棒状の部材１１は、拡散板３に当接しないときは、近傍の冷陰極線放電管８からの光を遮ることがないように形成できるので、拡散板３に影ができ難いようにすることが可能である。
【図面の簡単な説明】
【００２３】
【図１】本発明に係る液晶表示装置の実施の形態の外観を示す正面図である。
【図２】本発明に係るバックライト装置の実施の形態を示す側断面図である。
【図３】本発明に係るバックライト装置の実施の形態の突起部の先端部を拡大して示す拡大図である。
【図４】図３に示すバックライト装置の突起部の作用、効果を示す説明図である。
【符号の説明】
【００２４】
１  液晶パネル
２  バックライト
３  拡散板
６  バックライトシャーシ（箱体）
７  ランプクリップ
８  冷陰極線放電管（ＣＣＦＬ，光源）
９  突起部
９ａ  小径部分
９ｂ  穴（凹部）
１０  柔らかい部材
１１  棒状の部材（緩衝部材）
１６  クリップ部材（保持具）
【図１】
2008053176.tif 000003
【図２】
2008053176.tif 000004
【図３】
2008053176.tif 000005
【図４】
2008053176.tif 000006